(57)【要約】【課題】使用者が適正な姿勢で使用することができ、効率よく運動を行なうことができる健康器具を提供すること。【解決手段】健康器具１Ａは、生体に押圧して使用されるものである。この健康器具１Ａは、長尺状をなす弾性体で構成され、弾性体の長手方向の異なる２箇所が拡径した第１の拡径部２１および第２の拡径部２２と、これらの拡径部の間に位置し、各拡径部から連続的に外径が減少したくびれ部２３と、内部に設けられ、弾性体の両端に開口した装着部２６とを有する器具本体２と、器具本体２の外周部に突出形成された複数の凸条３と、器具本体２の装着部２６に挿入可能であり、装着部２６に挿入することにより健康器具１Ａ全体の弾性力を増大する棒状体４Ａとを備えている。【選択図】図１
2008061967.tif 000002
【特許請求の範囲】
【請求項１】
生体に押圧して使用される健康器具であって、
長尺状をなす弾性体で構成され、該弾性体の長手方向の異なる２箇所が拡径した２つの拡径部と、該２つの拡径部の間に位置し、前記各拡径部から連続的に外径が減少したくびれ部と、内部に設けられ、前記弾性体の一端または両端に開口した中空部とを有する器具本体と、
前記器具本体の外周部の少なくとも一部に突出形成された複数の凸条と、
前記器具本体の前記中空部に挿入可能であり、該中空部に挿入することにより前記健康器具の弾性力を増大する少なくとも１本の棒状体とを備えることを特徴とする健康器具。
【請求項２】
前記器具本体の横断面形状は、ほぼ円形をなしている請求項１に記載の健康器具。
【請求項３】
前記器具本体の一方の前記拡径部から他方の前記拡径部に渡る部分の縦断面形状は、生理湾曲にほぼ対応した形状をなす請求項１または２に記載の健康器具。
【請求項４】
前記各拡径部の最大外径部付近の曲率は、それぞれ、異なっている請求項１ないし３のいずれかに記載の健康器具。
【請求項５】
前記くびれ部の最小外径部付近の曲率は、前記２つの拡径部のうちの前記曲率が小さい方の拡径部の前記曲率とほぼ同等またはそれより小さい請求項４に記載の健康器具。
【請求項６】
前記各凸条は、それぞれ、前記器具本体の長手方向または周方向に沿って設けられている請求項１ないし５のいずれかに記載の健康器具。
【請求項７】
前記各凸条は、それぞれ、前記器具本体の長手方向に沿って設けられており、
前記各拡径部と前記くびれ部とで、隣接する前記凸条同士のピッチが異なる請求項１ないし６のいずれかに記載の健康器具。
【請求項８】
前記各凸条の横断面形状は、それぞれ、ほぼ台形をなしている請求項１ないし７のいずれかに記載の健康器具。
【請求項９】
前記器具本体の径方向に外力を付与したとき、該外力の大小により、隣接する前記凸条同士のピッチが変化する請求項１ないし８のいずれかに記載の健康器具。
【請求項１０】
前記外力を付与したとき、該外力の方向に位置する前記隣接する凸条同士は、それらのピッチが自然状態のときよりも小さくなる請求項９に記載の健康器具。
【請求項１１】
前記複数の凸条のうちの少なくとも１つの前記凸条には、該凸条の長手方向に沿って前記凸条の頂面から突出した多数の突部が形成さている請求項１ないし１０のいずれかに記載の健康器具。
【請求項１２】
前記多数の突部は、前記凸条の頂面のほぼ全体に渡って間欠的に配置されている請求項１１に記載の健康器具。
【請求項１３】
前記各突部は、その形状がほぼ半球状をなすものである請求項１１または１２に記載の健康器具。
【請求項１４】
前記棒状体は、弾性材料で構成されている請求項１ないし１３のいずれかに記載の健康器具。
【請求項１５】
前記棒状体は、その長手方向に沿って弾性が異なる部分を有する請求項１４に記載の健康器具。
【請求項１６】
前記棒状体は、中実体で構成されている請求項１ないし１５のいずれかに記載の健康器具。
【請求項１７】
前記棒状体は、内部に空気が気密状態で充填された中空体で構成されている請求項１ないし１５のいずれかに記載の健康器具。
【請求項１８】
前記棒状体は、管体と、該管体に対し挿入・抜去可能な芯棒とで構成されている請求項１ないし１５のいずれかに記載の健康器具。
【請求項１９】
形状、長さ、弾性率、硬度のうちの少なくとも１つの条件が異なる複数の前記棒状体を有し、該複数の棒状体を選択して使用する請求項１ないし１８のいずれかに記載の健康器具。
【発明の詳細な説明】
【技術分野】
【０００１】
本発明は、生体（例えば背中）に押圧して使用される健康器具に関する。
【背景技術】
【０００２】
健康器具には、それを床面に載置し、この状態（載置状態）の健康器具に例えば背中を押圧して（押し当てて）使用されるものがある。この健康器具としては、例えば非特許文献１に記載されたものが知られている。
【０００３】
この従来（非特許文献１に記載）の健康器具は、発砲材料で構成され、形状が円柱状をなすものである。この健康器具は、その外径が長手方向に沿ってほぼ一定となっている。この健康器具を使用するときには、使用者は、前記載置状態の健康器具の長手方向に沿って、当該健康器具に背中の背骨付近を押し当てる。
【０００４】
しかしながら、従来の健康器具は、前述したように外径が長手方向に沿ってほぼ一定であるため、当該健康器具を使用する際、使用者のほぼ「Ｓ」字状に湾曲した（生理湾曲をなす）背骨に無理な負荷（力）が加わり、使用者が適正な姿勢で使用することができない、すなわち、使用者が不自然（不安定）な姿勢で使用することとなるという問題があった。また、このような不自然な姿勢で、例えば健康器具を回動させる等のような運動を行なうため、その運動効果が著しく低下していた。
【０００５】
【非特許文献１】“東急スポーツオアシス楽天市場店”、[online]、ストレッチポール［平成１８年７月２６日検索］、インターネット＜ＵＲＬ：http://www.rakuten.co.jp/109oasis/467298/489276/#512140＞
【発明の開示】
【発明が解決しようとする課題】
【０００６】
本発明の目的は、使用者が適正な姿勢で使用することができ、効率よく運動を行なうことができる健康器具を提供することにある。
【課題を解決するための手段】
【０００７】
このような目的は、下記（１）〜（１９）の本発明により達成される。
（１）  生体に押圧して使用される健康器具であって、
長尺状をなす弾性体で構成され、該弾性体の長手方向の異なる２箇所が拡径した２つの拡径部と、該２つの拡径部の間に位置し、前記各拡径部から連続的に外径が減少したくびれ部と、内部に設けられ、前記弾性体の一端または両端に開口した中空部とを有する器具本体と、
前記器具本体の外周部の少なくとも一部に突出形成された複数の凸条と、
前記器具本体の前記中空部に挿入可能であり、該中空部に挿入することにより前記健康器具の弾性力を増大する少なくとも１本の棒状体とを備えることを特徴とする健康器具。
【０００８】
（２）  前記器具本体の横断面形状は、ほぼ円形をなしている上記（１）に記載の健康器具。
【０００９】
（３）  前記器具本体の一方の前記拡径部から他方の前記拡径部に渡る部分の縦断面形状は、生理湾曲にほぼ対応した形状をなす上記（１）または（２）に記載の健康器具。
【００１０】
（４）  前記各拡径部の最大外径部付近の曲率は、それぞれ、異なっている上記（１）ないし（３）のいずれかに記載の健康器具。
【００１１】
（５）  前記くびれ部の最小外径部付近の曲率は、前記２つの拡径部のうちの前記曲率が小さい方の拡径部の前記曲率とほぼ同等またはそれより小さい上記（４）に記載の健康器具。
【００１２】
（６）  前記各凸条は、それぞれ、前記器具本体の長手方向または周方向に沿って設けられている上記（１）ないし（５）のいずれかに記載の健康器具。
【００１３】
（７）  前記各凸条は、それぞれ、前記器具本体の長手方向に沿って設けられており、
前記各拡径部と前記くびれ部とで、隣接する前記凸条同士のピッチが異なる上記（１）ないし（６）のいずれかに記載の健康器具。
【００１４】
（８）  前記各凸条の横断面形状は、それぞれ、ほぼ台形をなしている上記（１）ないし（７）のいずれかに記載の健康器具。
【００１５】
（９）  前記器具本体の径方向に外力を付与したとき、該外力の大小により、隣接する前記凸条同士のピッチが変化する上記（１）ないし（８）のいずれかに記載の健康器具。
【００１６】
（１０）  前記外力を付与したとき、該外力の方向に位置する前記隣接する凸条同士は、それらのピッチが自然状態のときよりも小さくなる上記（９）に記載の健康器具。
【００１７】
（１１）  前記複数の凸条のうちの少なくとも１つの前記凸条には、該凸条の長手方向に沿って前記凸条の頂面から突出した多数の突部が形成さている上記（１）ないし（１０）のいずれかに記載の健康器具。
【００１８】
（１２）  前記多数の突部は、前記凸条の頂面のほぼ全体に渡って間欠的に配置されている上記（１１）に記載の健康器具。
【００１９】
（１３）  前記各突部は、その形状がほぼ半球状をなすものである上記（１１）または（１２）に記載の健康器具。
【００２０】
（１４）  前記棒状体は、弾性材料で構成されている上記（１）ないし（１３）のいずれかに記載の健康器具。
【００２１】
（１５）  前記棒状体は、その長手方向に沿って弾性が異なる部分を有する上記（１４）に記載の健康器具。
【００２２】
（１６）  前記棒状体は、中実体で構成されている上記（１）ないし（１５）のいずれかに記載の健康器具。
【００２３】
（１７）  前記棒状体は、内部に空気が気密状態で充填された中空体で構成されている上記（１）ないし（１５）のいずれかに記載の健康器具。
【００２４】
（１８）  前記棒状体は、管体と、該管体に対し挿入・抜去可能な芯棒とで構成されている上記（１）ないし（１５）のいずれかに記載の健康器具。
【００２５】
（１９）  形状、長さ、弾性率、硬度のうちの少なくとも１つの条件が異なる複数の前記棒状体を有し、該複数の棒状体を選択して使用する上記（１）ないし（１８）のいずれかに記載の健康器具。
【発明の効果】
【００２６】
本発明によれば、使用者が適正な姿勢で当該健康器具を使用することができる。また、この適正な姿勢で運動の運動をした場合、その運動を効率よく行なうことができる。これにより、例えば、筋力トレーニング、リハビリ、ダイエット（シェイプアップ）が確実に実行される。
【００２７】
また、形状、長さ、弾性率のうちの少なくとも１つの条件が異なる複数の棒状体を選択して使用する場合には、例えば健康器具の弾性力の大小や健康器具の弾性力を増大させたい部分等を適宜設定することができる。
【発明を実施するための最良の形態】
【００２８】
以下、本発明の健康器具を添付図面に示す好適な実施形態に基づいて詳細に説明する。
＜第１実施形態＞
図１は、本発明の健康器具の第１実施形態を示す側面図、図２は、図１に示す健康器具の分解縦断面図、図３は、図１に示す健康器具の縦断面図（（ａ）は棒状体の全体が器具本体に挿入された状態を示す縦断面図、（ｂ）は棒状体がその途中まで器具本体に挿入された状態を示す縦断面図）、図４は、図１中のＡ−Ａ線断面図、図５は、図１に示す健康器具の部分横断面図（（ａ）は健康器具の自然状態を示す部分横断面図、（ｂ）は健康器具に外力を付与した状態を示す部分横断面図）である。なお、図２および図３（図６〜図８、図１０〜図１２も同様）では、それぞれ、各凸条に形成されている複数の突部を省略している。また、以下では、説明の都合上、図１〜図３（図６〜図８、図１０〜図１２も同様）中の右側を「基端」、左側を「先端」と言い、図１〜図５（図６〜図１２も同様）中の上側を「上」または「上方」、下側を「下」または「下方」と言う。
【００２９】
健康器具１Ａは、生体に押圧して使用されるものである。例えば、図１に示す構成では、健康器具１Ａを平坦な床面３００に載置し、この状態の健康器具１Ａに、当該健康器具１Ａの長手方向に沿って、上方から、使用者が、その背中の背骨に沿った部位付近（以下単に「背中２００」と言う）を押し当てる状態となっている。以下、この状態を「使用状態」と言う。
【００３０】
図１〜図３に示す健康器具１Ａは、器具本体２と、器具本本体２の外周部に一体的に形成された複数の凸条３と、器具本体２に着脱自在に装着される棒状体４Ａとを備えている。以下、各部の構成について説明する。
【００３１】
器具本体２は、外形形状がほぼ円柱状（長尺状）をなす弾性体で構成されたものである。器具本体２がこのような形状、すなわち、回転体で構成されていることにより、器具本体２の中心軸回りの回転方向（回転角度）に関わらず、健康器具１Ａを床面３００に載置することができ、よって、健康器具１Ａを使用することができる。また、使用状態で、健康器具１Ａをその中心軸回り（図４中の矢印Ｂ方向）に回動させた運動（以下、この運動を「回転運動」と言うことがある）を容易かつ確実に行なうことができる。
【００３２】
器具本体２（弾性体）は、その長手方向の異なる２箇所に位置する（設けられた）第１の拡径部２１および第２の拡径部２２と、第１の拡径部２１および第２の拡径部２２との間に位置するくびれ部２３と、内部（中心部）に設けられた装着部（中空部）２６とを有している。なお、器具本体２の全長は、特に限定されないが、例えば、５０〜１００ｃｍであるのが好ましく、６０〜８０ｃｍであるのがより好ましい。
【００３３】
第１の拡径部２１は、使用状態で、背中２００の頸椎付近の部分２０１が当接する部位である（図１参照）。この第１の拡径部２１は、器具本体２の外径が拡径した、すなわち、外方に向かって湾曲した部位である。換言すれば、第１の拡径部２１は、外径が、器具本体２の先端部（一端部）２４から基端側に向かって連続的に増加し（漸増し）、器具本体２の途中（先端面２４１から所定距離の位置）で連続的に減少した（漸減した）部位である。
【００３４】
第２の拡径部２１は、使用状態で、背中２００の胸椎付近の部分２０２が当接する部位である（図１参照）。この第２の拡径部２２は、第１の拡径部２１と同様に、器具本体２の外径が拡径した、すなわち、外方に向かって湾曲した部位である。換言すれば、第２の拡径部２２は、外径が、器具本体２の基端部（他端部）２５から先端側に向かって連続的に増加し、器具本体２の途中（基端面２５１から所定距離の位置）で連続的に減少した部位である。
【００３５】
図１（図２および図３も同様）に示すように、第１の拡径部２１の最大外径部２１１付近の曲率Ｒ１と、第２の拡径部２２の最大外径部２２１付近の曲率Ｒ２とは、それらの大きさが互いに異なっている。すなわち、曲率Ｒ１は、曲率Ｒ２より大きく設定されている。これにより、使用状態で、第１の拡径部２１のほぼ全体が部分２０１に確実に当接し、第２の拡径部２２のほぼ全体が部分２０２に確実に当接する。これにより、使用者が適正な姿勢で、すなわち、背中２００に健康器具１Ａ（第１の拡径部２１および第２の拡径部２２）からの無理な負荷（反力）が加わるのが確実に防止され、よって、健康器具１Ａを好適に使用することができる。また、使用者が適正な姿勢を採ることができるため、その姿勢での運動（例えば回転運動）を効率よく行なうことができる。
【００３６】
なお、曲率Ｒ１と曲率Ｒ２との比Ｒ２／Ｒ１は、特に限定されないが、例えば、０．４〜０．８であるのが好ましく、０．５〜０．７であるのがより好ましい。
【００３７】
また、最大外径部２１１の外径と最大外径部２２１との外径とは、ほぼ同等であるのが好ましい。この場合、各外径（最大外径）は、特に限定されないが、例えば、１０〜２０ｃｍであるのが好ましく、１４〜１５ｃｍであるのがより好ましい。
【００３８】
くびれ部２３は、使用状態で、背中２００の腰椎付近の部分２０３が当接する部位である（図１参照）。このくびれ部２３は、器具本体２の内側（装着部２６側）に向かって湾曲した部位である。換言すれば、くびれ部２３は、先端側および基端側の両側（第１の拡径部２１および第２の拡径部２２）から外径が連続的に減少した部位である。
【００３９】
図１に示すように、くびれ部２３の最小外径部２３１付近の曲率Ｒ３は、第２の拡径部２２（最大外径部２２１）の曲率Ｒ２とほぼ同等またはそれより若干小さく設定されている。これにより、使用状態で、くびれ部２３のほぼ全体が部分２０３に確実に当接し、よって、使用者が適正な姿勢で健康器具１Ａを好適に使用することができる。また、使用者が適正な姿勢を採ることができるため、その姿勢での運動（例えば回転運動）を効率よく行なうことができる。
【００４０】
なお、曲率Ｒ２と曲率Ｒ３との比Ｒ３／Ｒ２は、特に限定されないが、例えば、０．７〜１であるのが好ましく、０．７〜０．８であるのがより好ましい。
【００４１】
また、最小外径部２３１の外径（最小外径）は、特に限定されないが、例えば、７〜１３ｃｍであるのが好ましく、９〜１０ｃｍであるのがより好ましい。
【００４２】
このように、健康器具１Ａ（器具本体２）では、第１の拡径部２１からくびれ部２３を経て第２の拡径部２２に至る（渡る）部分（器具本体２の外周部）の縦断面形状は、生理湾曲にほぼ対応した形状をなしていると言うことができる。このような形状をなしていることにより、前述したように、使用状態で、第１の拡径部２１のほぼ全体が部分２０１に確実に当接し、第２の拡径部２２のほぼ全体が部分２０２に確実に当接し、くびれ部２３のほぼ全体が部分２０３に確実に当接する。これにより、使用者が適正な姿勢で健康器具１Ａを使用することができる。また、使用状態で使用者の姿勢が矯正され、例えば姿勢が悪いことで生じる腰痛や肩こり等の症状を改善することができる。
【００４３】
図２および図３に示すように、装着部２６は、装置本体２をその中心軸と同軸に貫通する、すなわち、装置本体２の先端面２４１および基端面２５１に開口した貫通孔で構成されている。この貫通孔（装着部２６）に、先端側または基端側から棒状体４Ａを挿入することができる（図３参照）。
【００４４】
また、この装着部２６は、その内径が器具本体２の長手方向に沿ってほぼ一定に設定されている。装着部２６の内径は、特に限定されないが、例えば、４〜１０ｃｍであるのが好ましく、４〜８ｃｍであるのがより好ましい。
【００４５】
装着部２６の内周面２６１には、当該装着部２６に挿入される棒状体４Ａとの摩擦を低減するための層（被覆層）が形成されていてもよい。この層が形成されている場合、棒状体４Ａの挿入・抜去を容易に行なうことができる。なお、この層の構成材料としては、特に限定されず、例えば、フッ素系の樹脂等が挙げられる。
【００４６】
なお、器具本体２（各凸条３を含む）の構成材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【００４７】
図１に示すように、器具本体２の外周部には、当該器具本体２の長手方向に沿って、複数（本実施形態では１８本）の凸条３が形成されている。図４に示すように、これらの凸条３は、放射状に（それぞれ異なる方向に）突出している。
【００４８】
各凸条３は、その横断面形状が、それぞれ、ほぼ台形をなすものである。これにより、使用状態で、外力の方向に位置する凸条３（図５に示す構成では、凸条３ａ、３ｂ、３ｃおよび３ｄ）が、当該外力でつぶれる（変形する）のが抑制または防止される。よって、運動（例えば回転運動）を行なった際、各凸条３による指圧効果（マッサージ効果）を得る。また、使用状態で、各凸状３がその根元部（器具本体２との境界部）で破断するのを防止することができる。また、使用状態で、各凸状３が過剰に変形する（つぶれる）のを防止することができ、よって、各凸状３による指圧効果を確実に得ることができる。
【００４９】
また、使用状態で、凸条３ａ、３ｂ、３ｃおよび３ｄがそれぞれ好適に変形する、すなわち、凸条３ａおよび３ｂがそれぞれ図５中右側に確実に傾倒し、凸条３ｃおよび３ｄがそれぞれ図５中左側に確実に傾倒する。これにより、各ピッチＰが確実に小さくなり、よって、隣接する凸条同士の間に背中２００の一部が挟まれる（摘まれる）こととなる。これにより、効率よく運動を行なうことができる、すなわち、指圧効果（マッサージ効果）を得る。
【００５０】
図４に示すように、くびれ部２３と第２の拡径部２２（第１の拡径部２１も同様）とで、隣接する凸条３同士のピッチＰが異なる。すなわち、くびれ部２３における隣接する凸条３同士のピッチＰ１は、第２の拡径部２２における隣接する凸条３同士のピッチＰ２より小さく設定されている。これにより、健康器具１Ａには、その長手方向に沿って、凸条３の形成密度が疎となる部分（第１の拡径部２１および第２の拡径部２２）と蜜となる部分（くびれ部２３）とが生じることとなる。よって、使用状態では、効果的なマッサージが行なわれる。
【００５１】
なお、ピッチＰ１とピッチＰ２との比Ｐ２／Ｐ１は、特に限定されないが、例えば、０．５〜０．９であるのが好ましく、０．６〜０．８であるのがより好ましい。例えばピッチＰ２を１８ｍｍと設定した場合、ピッチＰ２は、２０〜３６ｍｍが好ましく、２２．５〜３０ｍｍがより好ましい。また、例えばピッチＰ２を２０ｍｍと設定した場合、ピッチＰ２は、２２．２〜４０ｍｍが好ましく、２５〜３３．３ｍｍがより好ましい。
【００５２】
また、図５（ｂ）に示す使用状態で（器具本体２の径方向に外力を付与したとき）、外力の方向に位置する凸条３ａ〜３ｄは、各ピッチＰが、当該外力の大小により変化する、すなわち、自然状態（図５（ａ）に示す状態）のときよりも小さくなる。ここで、「自然状態」とは、健康器具１Ａに外力を付与しない状態を言う。
【００５３】
このようにピッチＰが変化することにより、使用状態で、例えば凸条３ｂと凸条３ｃとによって、背中２００の一部が挟まれる（摘まれる）こととなる。これにより、効率よく運動を行なうことができる、すなわち、指圧効果（運動効果）を得る。
【００５４】
なお、凸条３の形成本数は、図４に示す構成では１８本であるが、これに限定されない。
【００５５】
図４に示すように、各凸条３には、当該凸条３の頂面３１から突出した多数の突部９が形成さている。これらの突部９は、凸条３の長手方向に沿って、すなわち、凸条３の頂面３１のほぼ全体に渡って、間欠的に配置されている（図１参照）。
【００５６】
このような突部９が形成されていることにより、使用状態で、外力の方向に位置する各突部９が、背骨に沿って背中２００を押圧（圧迫）する。これにより、指圧効果が得られ、よって、例えば血行が促進される。
【００５７】
また、各突部９の形状は、ほぼ半球状（ドーム状）をなしている。これにより、使用状態での指圧効果が向上する。
【００５８】
図２〜図４に示すように、器具本体２の装着部２６には、棒状体４Ａが装着される（挿入される）。この棒状体４Ａは、円柱状をなすものであり、その外径は、装着部２６の内径とほぼ同等またはそれより若干小さく設定されている。また、棒状体４Ａの長さは、器具本体２（装着部２６）の長さとほぼ同様またはそれよりも長い。
【００５９】
棒状体４Ａは、装着部２６に挿入することにより、健康器具１Ａ全体の弾性力を増大するためのものである。
【００６０】
棒状体４Ａの構成材料としては、特に限定されないが、例えば、器具本体２と同様の弾性材料を用いることができる。これにより、健康器具１Ａ全体の弾性力を確実に増大することができる。よって、使用者に対する指圧効果がより確実に得られる。また、例えば使用者の体重が比較的重い場合であっても、当該使用者が適正な姿勢で健康器具１Ａを使用することができる。また、この適正な姿勢での運動を効率よく行なうことができる。
【００６１】
なお、棒状体４Ａの弾性は、器具本体２よりも高いものが好ましい。これにより、健康器具１Ａ全体の弾性力をより確実に増大することができる。
【００６２】
また、棒状体４Ａは、中実体で構成されている。これにより、例えば図３（ａ）に示す状態、すなわち、棒状体４Ａのほぼ全体が装着部２６に挿入されている状態では、健康器具１Ａの弾性力がその長手方向に沿って均一に増大する。また、例えば図３（ｂ）に示す状態、すなわち、棒状体４Ａがその途中（図示の構成ではくびれ部２３付近）まで装着部２６に挿入されている状態では、健康器具１Ａの棒状体４Ａが挿入された部分（第１の拡径部２１からくびれ部２３付近まで）の弾性力が確実に弾性力が増大する。
【００６３】
また、このように棒状体４Ａの挿入深さを変更する（選択する）ことによって、健康器具１Ａの弾性力を増大させたい部分を適宜変更することができる。
【００６４】
棒状体４Ａの外周面４１には、装着部２６の内周面２６１の摩擦を低減するための層（被覆層）が形成されていてもよい。この層が形成されている場合、棒状体４Ａの挿入・抜去を容易に行なうことができる。なお、この層の構成材料としては、特に限定されず、例えば、フッ素系の樹脂等が挙げられる。
【００６５】
以上のような構成の健康器具１Ａでは、前述したように、使用者が適正な姿勢で当該健康器具１Ａを使用することができる。また、この適正な姿勢で回転運動等の運動をした場合、その運動を効率よく行なうことができる。これにより、例えば、筋力トレーニング、リハビリ、ダイエット（シェイプアップ）が確実に実行される。
【００６６】
なお、棒状体４Ａの弾性は、器具本体２よりも高いものであるが、これに限定されず、器具本体２よりも低いものであってもよいし、器具本体２と同等であってもよい。
【００６７】
＜第２実施形態＞
図６は、本発明の健康器具の第２実施形態を示す縦断面図である。
【００６８】
以下、この図を参照して本発明の健康器具の第２実施形態について説明するが、前述した実施形態との相違点を中心に説明し、同様の事項はその説明を省略する。
【００６９】
本実施形態は、棒状体の構成が異なること以外は前記第１実施形態と同様である。
図６に示す健康器具１Ｂの棒状体４Ｂは、管体４２ａと、芯棒４２ｂとで構成されている。
【００７０】
管体４２ａは、その横断面形状が「Ｏ」字状（円環状）をなすものである。
芯棒４２ｂは、管体４２ａに対し挿入・抜去可能な円柱状をなすものであり、その外径は、管体４２ａの内径とほぼ同等または若干小さく設定されている。
【００７１】
このような構成の棒状体４Ｂでは、健康器具１Ｂを使用する際、器具本体２の装着部２６に管体４２ａ全体を挿入し、さらに、当該管体４２ａに芯棒４２ｂ全体を挿入して使用してもよいし（図６参照）、装着部２６に挿入された管体４２ａに芯棒４２ｂを挿入せずに使用してもよい。
【００７２】
また、健康器具１Ｂでは、例えば、管体４２ａを器具本体２の先端側から第２の拡径部２２の最大外径部２２１付近にまで挿入し、芯棒４２ｂを先端側からくびれ部２３付近にまで挿入することもできる。この場合、健康器具１Ｂの弾性力は、その長手方向に沿って段階的に変化する、すなわち、先端側から基端側に向かって段階的に小さくなる。
【００７３】
このように、健康器具１Ｂでは、管体４２ａおよび芯棒４２ｂのそれぞれの挿入深さを変更することができる。これにより、使用者の好みに応じて、健康器具１Ｂに弾性力の大小を生じさせることができる。
【００７４】
なお、管体４２ａおよび芯棒４２ｂをそれぞれ構成する弾性材料は、同じであってもよいし、異なっていてもよい。
【００７５】
また、芯棒４２ｂは、後述する第８実施形態のように、２つの部材で構成されたものであってもよい。この場合、各部材は、弾性（硬度）が異なっていてもよい。また、一方の部材を管体４２ａに挿入して用いてもよい。
【００７６】
＜第３実施形態＞
図７は、本発明の健康器具の第３実施形態を示す縦断面図である。
【００７７】
以下、この図を参照して本発明の健康器具の第３実施形態について説明するが、前述した実施形態との相違点を中心に説明し、同様の事項はその説明を省略する。
【００７８】
本実施形態は、棒状体の構成が異なること以外は前記第１実施形態と同様である。
図７に示す健康器具１Ｃの棒状体４Ｃは、内部のほぼ全体に渡って円柱状の空間４３を有する中空体で構成されている。この空間４３には、空気が気密状態で充填されている。
【００７９】
この棒状体４Ｃを器具本体２に挿入することにより、健康器具１Ｃの弾性力の増大の程度を、前記第１実施形態の健康器具１Ａの弾性力の増大の程度よりも低減することができる。
【００８０】
なお、棒状体４Ｃは、図示の構成では全体が挿入されているが、これに限定されず、例えば、挿入深さを変えて、すなわち、棒状体４Ｃをその途中まで挿入してもよい。
【００８１】
また、空間４３には、水等の液体、ゼリー等の半固形物、ビーズが充填されていてもよい。
【００８２】
また、棒状体４Ｃには、注入排気用のポートが設けられられていてもよい。これにより、空間４３内の圧力を変えることができ、よって、棒状体４Ｃの弾性（硬度）を調整することができる。
【００８３】
また、棒状体４Ｃの壁部５１の厚さは、その長手方向に沿ってほぼ一定であるが、これに限定されず、例えば、一部が他の部分より厚くなっていてもよい。例えば、第１の拡径部２１および第２の拡径部２２に対応する壁部５１の厚さが、その壁部５１以外の壁部５１よりも厚く設定されていてもよい。
【００８４】
また、棒状体４Ｃの空間４３には、当該棒状体４Ｃの形状を維持する補強部が設けられていてもよい。この補強部は、それを介して、流体（空気）の行き来が可能に構成されている。
【００８５】
＜第４実施形態＞
図８は、本発明の健康器具の第４実施形態を示す縦断面図（（ａ）と（ｂ）とでは器具本体に対する棒状体の挿入方向（装着方向）が異なる）である。
【００８６】
以下、この図を参照して本発明の健康器具の第４実施形態について説明するが、前述した実施形態との相違点を中心に説明し、同様の事項はその説明を省略する。
【００８７】
本実施形態は、棒状体の構成が異なること以外は前記第１実施形態と同様である。
図８に示す健康器具１Ｄの棒状体４Ｄには、円錐状をなす空間４４が棒状体４Ｄの長手方向の一端側に偏在している。このため、棒状体４Ｄは、空間４４を有する中空部４５ａと、中実部４５ｂとに分けることができる。このような構成の棒状体４Ｄでは、その長手方向に沿って弾性が異なることとなる。すなわち、棒状体４Ｄでは、中空部４５ａは、中実部４５ｂよりも弾性が高くなる。
【００８８】
健康器具１Ｄでは、器具本体２に対する棒状体４Ｄの挿入方向の選択によって、使用状態で得られる弾性力が大となる部分と小となる部分とを適宜設定することができる。
【００８９】
健康器具１Ｄにおいて、例えば第１の拡径部２１付近の弾性力を第２の拡径部２２付近の弾性力より大きく設定する場合には、図８（ａ）に示すように、棒状体４Ｄの中空部４５ａが第１の拡径部２１付近に位置するように、棒状体４Ｄを器具本体２に挿入する。また、例えば第２の拡径部２２付近の弾性力を第１の拡径部２１付近の弾性力より大きく設定する場合には、図８（ｂ）に示すように、棒状体４Ｄの中空部４５ａが第２の拡径部２２付近に位置するように、棒状体４Ｄを器具本体２に挿入する。
【００９０】
また、棒状体４Ｄでは、中空部４５ａにおいても弾性が長手方向に変化している。すなわち、棒状体４Ｄでは、空間４４の頂部４４１が棒状体４Ｄの長手方向中央部に位置しており、この場合、中空部４５ａにおける弾性が頂部４４１（中実部４５ｂ側）に向かって連続的に減少している。
【００９１】
このような中空部４５ａが位置する健康器具１Ｄの部位（図８（ａ）では第１の拡径部２１付近であり、図８（ｂ）では第２の拡径部２２付近である）は、当該中空部４５ａと同様に弾性力が中実部４５ｂ側に向かって連続的に減少する。
【００９２】
このように、健康器具１Ｄでは、器具本体２に対する棒状体４Ｄの挿入方向の選択によって、高い指圧効果を得たい部分と、指圧効果を抑制したい部分とを適宜設定することができる。
【００９３】
なお、棒状体４Ｄの外周面４１には、中空部４５ａの偏在位置がわかる、すなわち、弾性の異なる部分を視覚的に把握することができるマーカが付されていてもよい。このマーカとしては、特に限定されないが、例えば、記号、図形、模様、文字等が挙げられる。
【００９４】
また、棒状体４Ｄは、後述する第８実施形態のように、２つの部材で構成されたもの、すなわち、中空部４５ａに相当する部材と、中実部４５ｂに相当する部材とを有するものであってもよい。この場合、一方の部材を器具本体２に挿入して用いてもよい。
【００９５】
＜第５実施形態＞
図９は、本発明の健康器具の第５実施形態を示す横断面図（（ａ）と（ｂ）とでは器具本体に対する棒状体の上下方向（装着方向）が異なる）である。
【００９６】
以下、この図を参照して本発明の健康器具の第５実施形態について説明するが、前述した実施形態との相違点を中心に説明し、同様の事項はその説明を省略する。
【００９７】
本実施形態は、棒状体の構成が異なること以外は前記第１実施形態と同様である。
図９に示す健康器具１Ｅの棒状体４Ｅには、横断面形状がほぼ半円状をなす空間４６が棒状体４Ｅの図９中上下方向の一方側に偏在している。このため、棒状体４Ｅは、空間４６を有する中空部４７ａと、中実部４７ｂとに分けることができる。このような構成の棒状体４Ｅでは、図９中上下方向に沿って弾性が異なることとなる。すなわち、棒状体４Ｅでは、中空部４７ａは、中実部４７ｂよりも弾性が高くなる。
【００９８】
健康器具１Ｅでは、棒状体４Ｅの上下方向を反転させるかまたは健康器具１Ｅ全体を反転させることにより、使用状態で、使用者が受ける弾性力が変化する。
【００９９】
健康器具１Ｅにおいて、例えば弾性力を最大に設定する場合には、図９（ａ）に示すように、棒状体４Ｅの中空部４７ａが中実部４７ｂよりも上側に位置するように、棒状体４Ｅを器具本体２に挿入する。また、例えば弾性力を最小に設定する場合には、棒状体４Ｅの中空部４７ａが中実部４７ｂよりも下側に位置するように、棒状体４Ｅを器具本体２に挿入する。
【０１００】
このように、健康器具１Ｅでは、棒状体４Ｄの上下方向の選択によって、指圧効果を得たい場合と、指圧効果を抑制したい場合とに使い分けることができる。
【０１０１】
なお、棒状体４Ｅの外周面４１には、中空部４７ａの偏在位置がわかる、すなわち、弾性の異なる部分を視覚的に把握することができるマーカが付されていてもよい。このマーカとしては、特に限定されないが、例えば、記号、図形、模様、文字等が挙げられる。
【０１０２】
＜第６実施形態＞
図１０は、本発明の健康器具の第６実施形態を示す縦断面図である。
【０１０３】
以下、この図を参照して本発明の健康器具の第６実施形態について説明するが、前述した実施形態との相違点を中心に説明し、同様の事項はその説明を省略する。
【０１０４】
本実施形態は、棒状体の構成が異なること以外は前記第１実施形態と同様である。
図１０に示す健康器具１Ｆの棒状体４Ｆには、その長手方向の異なる位置に２つの空間４８ａおよび４８ｂがそれぞれ形成されている。各空間４８ａおよび４８ｂは、それぞれ、形状が円柱状をなしている。
【０１０５】
棒状体４Ｆでは、各空間４８ａおよび４８ｂがそれぞれ形成されている部分で、それらの部分を除く他の部分よりも、弾性が高くなる。
【０１０６】
空間４８ａは、棒状体４Ｆを器具本体２に装着したときに第１の拡径部２１付近に対応する位置に設けられている。また、空間４８ｂは、棒状体４Ｆが器具本体２に装着されたときに第２の拡径部２２付近に対応する位置に設けられている。
【０１０７】
このような健康器具１Ｆでは、第１の拡径部２１と第２の拡径部２２とにおいて、各弾性力がくびれ部２３の弾性力よりも高くなる。すなわち、健康器具１Ｆでは、使用状態で、第１の拡径部２１および第２の拡径部２２での変化量が大となり、くびれ部２３では変化量が小となる。これにより、使用状態で、第１の拡径部２１および第２の拡径部２２では、比較的高い指圧効果が得られる。
【０１０８】
なお、棒状体４Ｆの外周面４１には、各空間４８ａおよび４８ｂのそれぞれの位置がわかる、すなわち、弾性の異なる部分を視覚的に把握することができるマーカが付されていてもよい。このマーカとしては、特に限定されないが、例えば、記号、図形、模様、文字等が挙げられる。
【０１０９】
＜第７実施形態＞
図１１は、本発明の健康器具の第７実施形態を示す縦断面図である。
【０１１０】
以下、この図を参照して本発明の健康器具の第７実施形態について説明するが、前述した実施形態との相違点を中心に説明し、同様の事項はその説明を省略する。
【０１１１】
本実施形態は、棒状体に形成された空間の位置が異なること以外は前記第６実施形態と同様である。
【０１１２】
図１１に示す健康器具１Ｇの棒状体４Ｇには、そのその長手方向の中央部付近に、空間４９が形成されている。この空間４９は、形状が円柱状をなしている。
【０１１３】
棒状体４Ｇでは、空間４９が形成されている部分で、その部分を除く他の部分よりも、弾性が高くなる。
【０１１４】
空間４９は、棒状体４Ｇを器具本体２に装着したときにくびれ部２３付近に対応する位置に設けられている。
【０１１５】
このような健康器具１Ｇでは、くびれ部２３において、弾性力が第１の拡径部２１および第２の拡径部２２のそれぞれの弾性力よりも高くなる。すなわち、健康器具１Ｇでは、使用状態で、くびれ部２３では変化量が大となり、第１の拡径部２１および第２の拡径部２２での変化量が小となる。これにより、使用状態で、くびれ部２３では、比較的高い指圧効果が得られる。
【０１１６】
本発明の健康器具では、空間の形成位置の異なる２本の棒状体、すなわち、前記第６実施形態で記載した棒状体４Ｆと本実施形態で記載した棒状体４Ｇとを用意し、これらを適宜選択して使用してもよい。これにより、比較的高い指圧効果を得たい部分に対して適した棒状体を用いることができる。
【０１１７】
なお、棒状体４Ｇの外周面４１には、空間４９の位置がわかる、すなわち、弾性の異なる部分を視覚的に把握することができるマーカが付されていてもよい。このマーカとしては、特に限定されないが、例えば、記号、図形、模様、文字等が挙げられる。
【０１１８】
＜第８実施形態＞
図１２は、本発明の健康器具の第８実施形態を示す縦断面図である。
【０１１９】
以下、この図を参照して本発明の健康器具の第７実施形態について説明するが、前述した実施形態との相違点を中心に説明し、同様の事項はその説明を省略する。
【０１２０】
本実施形態は、棒状体の構成が異なること以外は前記第１実施形態と同様である。
図１２に示す健康器具１Ｈは、棒状体４Ｈおよび４ｉを有している。棒状体４Ｈおよび４ｉは、それぞれ、円柱状をなすものであり、長さが同等である。
【０１２１】
棒状体４Ｈは、前述したような弾性材料で構成されものである。
棒状体４ｉは、管体５０ａと、管体５０ａ内に固定的に設置された芯材５０ｂとで構成されている。
【０１２２】
管体５０ａの構成材料としては、特に限定されず、例えば、棒状体４Ｈと同様の材料を用いることができる。また、芯材５０ｂの構成材料としては、特に限定されず、例えば、各種金属材料を用いることができる。
【０１２３】
これにより、棒状体４Ｈの弾性が棒状体４ｉの弾性より高くなる、すなわち、棒状体４ｉの硬度が棒状体４Ｈの硬度より高くなる。
【０１２４】
このような健康器具１Ｈでは、図示の構成の場合、第１の拡径部２１からくびれ部２３付近までの部分の弾性力が、第２の拡径部２２付近の弾性力よりも大きくなる。
【０１２５】
なお、健康器具１Ｈでは、棒状体４Ｈと棒状体４ｉとの位置を交換してもよいし、棒状体４Ｈおよび４ｉの一方を用いて（器具本体２に挿入して）もよい。
【０１２６】
また、健康器具１Ｈでは、棒状体４Ｈおよび４ｉをそれぞれ２本ずつ用意してもよい。これにより、器具本体２に２本の棒状体４Ｈを挿入することができたり、器具本体２に２本の棒状体４ｉを挿入することができたりする。
【０１２７】
また、棒状体４ｉは、構成材料の異なる２つの部材（管体５０ａおよび芯材５０ｂ）で構成されたものであるが、これに限定されず、例えば、１つの部材で構成し、硬度が棒状体４Ｈより高いものであってもよい。
【０１２８】
以上、本発明の健康器具を図示の実施形態について説明したが、本発明は、これに限定されるものではなく、健康器具を構成する各部は、同様の機能を発揮し得る任意の構成のものと置換することができる。また、任意の構成物が付加されていてもよい。
【０１２９】
また、本発明の健康器具は、前記各実施形態のうちの、任意の２以上の構成（特徴）を組み合わせたものであってもよい。
【０１３０】
例えば、各実施形態で記載した棒状体をそれぞれ用意してもよい。この場合、使用者は、自らの体格や指圧を施したい部位等に応じて、これらの棒状体の中から最適と思うものを選択して器具本体に装着することができる。なお、「装着」には、棒状体全体を器具本体に挿入することの他に、前述したような挿入深さや挿入方向（上下方向）を変更することも含まれている。
【０１３１】
また、各実施形態では、当該実施形態で記載された棒状体において、外形形状、長さ、弾性率、硬度のうちの少なくとも１つの条件が異なる棒状体を複数用意してもよい。この場合、使用者は、前述したように、自らの体格や指圧を施したい部位等に応じて、これらの棒状体の中から最適と思うものを選択して器具本体に装着することができる。
【０１３２】
また、棒状体は、１部材で構成されたものに限定されず、異なる弾性材料で構成された複数の部材を長手方向に接合したものであってもよい。このように複数の部材で棒状体が構成されている場合、当該棒状体は、その長手方向に弾性が異なるものとなる。
【０１３３】
また、棒状体は、器具本体と同等の長さであるのに限定されず、例えば、器具本体より長くてもよいし、それより短くてもよい。
【０１３４】
また、棒状体は、その横断面形状が円形であるのに限定されず、例えば、多角形、楕円形、長円形であってもよい。
【０１３５】
また、器具本体の装着部は、当該器具本体の両端面に開口したものであるが、これに限定されず、例えば、器具本体の一方の端面にのみ開口したものであってもよい。
【０１３６】
また、器具本体の装着部の内径は、当該器具本体の長手方向にほぼ一定であるが、これに限定されず、例えば、基端方向に向かって漸減していてもよい。
【０１３７】
また、第１の拡径部の曲率Ｒ１と第２の拡径部の曲率Ｒ２とは、それらの大きさが互いに異なっているが、これに限定されず、例えば、それらの大きさがほぼ同等であってもよい。
【０１３８】
また、各凸条は、器具本体の長手方向に沿って設けられているのに限定されず、例えば、器具本体の周方向に沿って設けられていてもよいし、螺旋状に設けられていてもよい。
【０１３９】
また、各凸状の横断面形状は、それぞれ、ほぼ台形であるが、これに限定されず、例えば、長方形や正方形であってもよい。
【０１４０】
また、多数の突部は、全ての凸条に設けられているのに限定されず、例えば、凸条の１つ置きに設けられていてもよい。
【０１４１】
また、多数の突部は、等間隔に配置されているのに限定されず、隣接する突部同士の間隔が異なるように、すなわち、配置密度に疎密が生じるように配置されていてもよい。
【０１４２】
また、各突部は、器具本体（凸条）よりも硬度が高いものであってもよい。
また、健康器具には、そのほぼ全体を覆うカバーを装着してもよい。
【０１４３】
また、健康器具は、前記各実施形態では背中にその長手方向に配置して使用されているるが、これに限定されず、例えば、背中とほぼ直角方向に配置して使用されてもよい。
【０１４４】
また、健康器具が使用される生体の部位としては、背中を一例に挙げたが、例えば、首、腕部、脚部等であってもよい。
【図面の簡単な説明】
【０１４５】
【図１】本発明の健康器具の第１実施形態を示す側面図である。
【図２】図１に示す健康器具の分解縦断面図である。
【図３】図１に示す健康器具の縦断面図（（ａ）は棒状体の全体が器具本体に挿入された状態を示す縦断面図、（ｂ）は棒状体がその途中まで器具本体に挿入された状態を示す縦断面図）である。
【図４】図１中のＡ−Ａ線断面図である。
【図５】図１に示す健康器具の部分横断面図（（ａ）は健康器具の自然状態を示す部分横断面図、（ｂ）は健康器具に外力を付与した状態を示す部分横断面図）である。
【図６】本発明の健康器具の第２実施形態を示す縦断面図である。
【図７】本発明の健康器具の第３実施形態を示す縦断面図である。
【図８】本発明の健康器具の第４実施形態を示す縦断面図（（ａ）と（ｂ）とでは器具本体に対する棒状体の挿入方向（装着方向）が異なる）である。
【図９】本発明の健康器具の第５実施形態を示す横断面図（（ａ）と（ｂ）とでは器具本体に対する棒状体の上下方向（装着方向）が異なる）である。
【図１０】本発明の健康器具の第６実施形態を示す縦断面図である。
【図１１】本発明の健康器具の第７実施形態を示す縦断面図である。
【図１２】本発明の健康器具の第８実施形態を示す縦断面図である。
【符号の説明】
【０１４６】
１Ａ、１Ｂ、１Ｃ、１Ｄ、１Ｅ、１Ｆ、１Ｇ、１Ｈ  健康器具
２            器具本体
２１          第１の拡径部
２１１        最大外径部
２２          第２の拡径部
２２１        最大外径部
２３          くびれ部
２３１        最小外径部
２４          先端部（一端部）
２４１        先端面
２５          基端部（他端部）
２５１        基端面
２６          装着部（中空部）
２６１        内周面
３、３ａ、３ｂ、３ｃ、３ｄ  凸条
３１          頂面
４Ａ、４Ｂ、４Ｃ、４Ｄ、４Ｅ、４Ｆ、４Ｇ、４Ｈ、４ｉ  棒状体
４１          外周面
４２ａ        管体
４２ｂ        芯棒
４３、４４    空間
４４１        頂部
４５ａ        中空部
４５ｂ        中実部
４６          空間
４７ａ        中空部
４７ｂ        中実部
４８ａ、４８ｂ、４９  空間
５０ａ        管体
５０ｂ        芯材
５１          壁部
９            突部
２００        背中
２０１、２０２、２０３  部分
３００        床面
Ｐ、Ｐ１、Ｐ２  ピッチ
Ｒ１、Ｒ２、Ｒ３  曲率
【図１】
2008061967.tif 000003
【図２】
2008061967.tif 000004
【図３】
2008061967.tif 000005
【図４】
2008061967.tif 000006
【図５】
2008061967.tif 000007
【図６】
2008061967.tif 000008
【図７】
2008061967.tif 000009
【図８】
2008061967.tif 000010
【図９】
2008061967.tif 000011
【図１０】
2008061967.tif 000012
【図１１】
2008061967.tif 000013
【図１２】
2008061967.tif 000014